(57)【要約】【課題】ワイヤレスリモコンを通じて制御設定を行う、従来の空気調和機においては、設置環境、使用者要望で、制御設定を細かく変更をしたい場合、ワイヤレスリモコンの機能等により不可となる。【解決手段】空気調和機本体１にワイヤレスリモコン５からの操作信号を受け付けるデータ受信部４を備え、ワイヤレスリモコン５には、ＳＤカード１０が挿入される挿入口１１を設け、ＳＤカード１０のデータ読み出し装置を具備して機能変更できるようにしたことにより、ＳＤカード１０のデータを使用者が要望するデータに変更し、ワイヤレスリモコン５に設定変更することにより空気調和機は、よりきめこまかい運転となるものである。  【選択図】図２
2007198704.tif 000002
【特許請求の範囲】
【請求項１】
熱交換器、送風機、制御装置を本体の内部に配置し、前記制御装置の制御設定を行うための制御信号を送信するリモコンと、その信号を受信する受信部とを有し、前記リモコンには、ＳＤカードに格納された操作項目データの読み出し装置を具備し、前記データにより操作機能を設定するようにしたことを特徴とする空気調和機。
【請求項２】
リモコンは、ワイヤレス式又はワイヤード式であることを特徴とする請求項１記載の空気調和機。
【請求項３】
リモコンは、当初は基本的な機能のみ操作可能とし、前記リモコンにＳＤカードを挿入して、前記ＳＤカードにあらかじめ入力されたデータにより機能を追加又は修正することができることを特徴とする請求項１又は２記載の空気調和機。
【請求項４】
ワイヤードリモコンと同様の操作項目データを持ったＳＤカードをワイヤレスリモコン本体に挿入することにより、ワイヤレスリモコンの操作項目がワイヤードリモコンの操作項目と同様になることを特徴とする請求項１又は３記載の空気調和機。
【請求項５】
ＳＤカードの操作項目データは、パソコン等により設定変更が可能であることを特徴とする請求項１〜４記載の空気調和機。
【発明の詳細な説明】
【技術分野】
【０００１】
本発明は、ＳＤカードのデータ処理装置を具備したリモコンからの信号にもとづいて、動作制御を行う空気調和機に関するものである。
【背景技術】
【０００２】
天井埋込型や天井吊下型等の天井設置型空気調和機には、その運転動作のための制御装置が設けられており、上記制御装置の制御設定は、通常壁面に設置されたワイヤードリモコンを通して行う方法と、ワイヤレスリモコンを通して行う方法とがある。このどちらの方法を選択するかは、空気調和機の設置環境や顧客の要望により決定され、天井設置型空気調和機の設置時にこれらの工事が行われる。
【０００３】
図４は従来の空気調和機の構成図で、天井埋込型空気調和機を示す。図５は従来の空気調和機のワイヤレスリモコン、図６は同じくワイヤードリモコンであり、空気調和機の操作を行うリモコンは、使用者の要望によりワイヤレスリモコンまたはワイヤードリモコンが選択される。図において、空気調和機本体５０は天井面に据え付けられ、化粧パネル本体５１が取り付けネジ５３にて空気調和機本体５０に固定される。化粧パネル本体５１の表面中央開口部には吸込グリル５２が嵌め込んで配置される。また化粧パネル本体５１にはワイヤレスリモコン５５の信号を受信する受光部を有するデータ受信部５４が配設されている。使用者はワイヤレスリモコン５５をデータ受信部５４の受光部に向け、ボタン５６で操作を行うことで、制御装置の設定を任意に変更することができ空気調和機を制御する。
【０００４】
また、設置環境や使用者の要望によってはワイヤードリモコン５７が選択される。空気調和機本体５０にワイヤーリード線５８にて連結され、組み込まれたデータにより通信され、空気調和機を制御することとなる。通常、ワイヤレスリモコン５５とワイヤードリモコン５７については、基本的な操作モード（例：運転、冷房、暖房、除湿、送風、自動運転等）は、どちらも同じであるが、ワイヤードリモコン５７については、ワイヤレスリモコン５５と比較し、ワイヤーで信号線が空気調和機と連結され空気調和機本体５０と相互通信可能で、制御部を保有し、液晶表示部５９がワイヤレスリモコン５５の液晶表示部６０と比較し大きく、空気調和機の動作内容表示を多くできることが可能であり、基本的な操作モード以外の動作モードを表示可能であり動作機能も多くすることができるものである。たとえば、ワイヤレスリモコン５５では、一週間のタイマー運転、停止の時間設定は、液晶表示部６０の大きさにより省略されていたり、あっても見にくいものであるが、ワイヤードリモコン５７では液晶表示部５９が広く大きく表示が出来るため可能である。
【０００５】
また、ワイヤレスリモコン５５を光ファイバーにて接続してワイヤードリモコン５７の方式にすることによりワイヤレスリモコン５５の紛失が防止できる構成も開示されている（例えば、特許文献１参照）。
【特許文献１】特開平０９−２１０４３１号公報
【発明の開示】
【発明が解決しようとする課題】
【０００６】
しかしながら、前記従来の構成では、設置環境、使用者の要望で、ワイヤレスリモコンを選択し、その後、要望として、空気調和機を一週間のタイマー運転、停止等、操作をしたい場合、ワイヤレスリモコンの容量により不可となる。また、前記操作内容に対応すべくワイヤレスリモコンをワイヤードリモコンにすべく光ファイバーにて接続するにも、前記空気調和機本体に接続部を具備することが必要であり、構造が複雑となる等の課題を有
していた。
【０００７】
本発明は、前記従来の課題を解決するもので、ワイヤレスリモコン又はワイヤート゛リモコンにＳＤカードの挿入口とデータ読み出し装置を設け、ＳＤカードにあらかじめ入力されたデータによりリモコンの操作機能を自由に設定することができ、そのリモコンからの信号が空気調和機に具備されたデータ受信部により処理され、運転する空気調和機を提供することを目的としている。
【課題を解決するための手段】
【０００８】
前記従来の課題を解決するために本発明の空気調和機は、熱交換器、送風機、制御装置を内部に配置し、制御装置の制御設定を行うための制御信号を送信するリモコンと、その信号を受信するデータ受信部とを有し、リモコンには、ＳＤカードに格納されたデータの読み出し装置を具備し、そのデータにより操作機能を設定することができるようにしたものである。
【発明の効果】
【０００９】
本発明の空気調和機は、使用環境、使用者の要望によりＳＤカードのデータ変更により、さらにきめこまかく要望に沿ったリモコンとして空気調和機の運転を行うことができる。
【発明を実施するための最良の形態】
【００１０】
第１の発明は、熱交換器、送風機、制御装置を本体の内部に配置し、前記制御装置の制御設定を行うための制御信号を送信するリモコンと、その信号を受信する受信部とを有し、前記リモコンには、ＳＤカードに格納されたデータの読み出し装置を具備し、前記データにより操作機能を設定するようにしたもので、ＳＤカードのデータにより自由にリモコンの機能を変更することができる。
【００１１】
第２の発明は、リモコンがワイヤレス式又はワイヤード式であるもので、ワイヤレス式リモコンであれば任意の位置から空気調和機を操作することが可能であり、ワイヤード式リモコンであればリモコン位置が固定されて操作場所が明確とすることが可能であり、それらの形式を使用者が選択して設置することができる。
【００１２】
第３の発明は、リモコンは、当初は基本的な機能のみ操作可能とし、前記リモコンにＳＤカードを挿入して、前記ＳＤカードにあらかじめ入力されたデータにより機能を追加又は修正をすることができるもので、リモコンはＳＤカードがなくても機能し、また、ＳＤカードがあれば設定を変更することができる。
【００１３】
第４の発明は、前記ワイヤードリモコンと同様の操作項目データを持ったＳＤカードを前記ワイヤレスリモコン本体に、挿入することにより、ワイヤレスリモコンとワイヤードリモコンでの操作項目と同様になるものである。
【００１４】
第５の発明は、ＳＤカードに書きこまれるデータは、パソコン等より、設定変更が可能で、自由に操作項目を選択できるもので、１枚のＳＤカードで設定を変更して空気調和機を操作、運転することができるものである。
【００１５】
以下本発明の実施の形態について図面を参照しながら説明する。なお、この実施の形態によって本発明が限定されるものではない。
【００１６】
図１は、本発明の第１の実施の形態における空気調和機の構成図で、一例として天井埋込型空気調和機を示す。図１において、１は空気調和機本体で、図示しないが、内部には
熱交換器と送風機と制御装置を配設している。２は化粧パネル本体、３は化粧パネル本体２の中央部に配置される吸込グリルである。４は前記化粧パネル２のコーナーに取り付けられた、受光部を具備したデータ受信部である。
【００１７】
図２は、本発明の第１の実施の形態における空気調和機のワイヤレスリモコンの斜視図である。５はワイヤレスリモコン本体で、６は送信部、７は操作ボタン、８は液晶表示部、９は扉で、扉９を開けることによりさらに各種機能の運転機能操作ボタン（図示せず）が配設されており、ボタンを操作することにより通常の基本的な操作モード（例：運転、冷房、暖房、除湿、送風、自動運転等）ができるものである。１０はＳＤカードでワイヤレスリモコン５の本体側面に設けた挿入口１１に挿入され、内部にはデータの読み出し装置（図示せず）が配設されている。
【００１８】
図３は、本発明の第１の実施の形態における空気調和機のワイヤードリモコンの正面図で、本実施の形態に示す空気調和機は、ワイヤードリモコン１５も取り付け可能で、選択は使用者の自由である。ただし、操作モードはリモコンの液晶表示部８の大小、スペースの関係もあり同様ではなく、ワイヤレスリモコン５のほうが少ないものが通常である。
【００１９】
当初、使用者の使用環境、選択でワイヤレスリモコン５を選択した場合、空気調和機はワイヤレスリモコン５に設定された基本的な操作機能に応じて運転を行う。しかし、どうしてもワイヤードリモコン１５のもっている機能運転（例えば、複雑なタイマー運転設定等）をしたい場合、ワイヤードリモコン１５をさらに購入して据付をしなければならない。その様な場合、本実施の形態におけるワイヤレスリモコン５では、ＳＤカード１０にワイヤードリモコン１５だけが当初からもっている機能運転データを入力や追加選択し、ワイヤレスリモコン５に挿入して読み出し、設定することでワイヤードリモコン１５と同一の機能運転操作となるものであり、
ＳＤカード１０に一日や一週間単位での多数のＯＮ−ＯＦＦのタイマー運転機能を追加すれば、空気調和機に対してその運転操作が可能となるものである。
【００２０】
ワイヤードリモコン１５において、上記と同様にＳＤカード１０の読み込み装置を設ければ、より高機能に設定を変更したり、より簡易な操作間違いの少ない機能のリモコンに変更したりすることが可能となる。
【００２１】
上記に示す構成とすることにより、ＳＤデータ１０の書き込みデータにより使用者の要望に沿う形態での空気調和機の操作、運転が可能となる。なお、データについては通常のパソコンにより書き込むことができるようにソフトを準備しておけば、設定変更対応が容易になるとともに、使用者自身でも対応が可能である。
【産業上の利用可能性】
【００２２】
以上のように、リモコンにＳＤカードの読み出し装置を設けることにより、空気調和機において、当初の基本的機能の運転操作のみから、後に使用環境等の変化などによる使用者の要望に従って、他の機能に変更したいデータをＳＤカードに入力し、ＳＤカードを現在使用中のリモコンに挿入することで、要望に沿うかたちでのさらにきめこまかい運転ができる空気調和機を提供できる。
【図面の簡単な説明】
【００２３】
【図１】本発明の実施の形態における空気調和機の構成図
【図２】本発明の実施の形態における空気調和機のワイヤレスリモコンの斜視図
【図３】同ワイヤードリモコンの正面図
【図４】従来の空気調和機の構成図
【図５】同ワイヤレスリモコンの正面図
【図６】同ワイヤードリモコンの正面図
【符号の説明】
【００２４】
１  空気調和機本体
２  化粧パネル
３  吸い込みグリル
４  データ受信部
５  ワイヤレスリモコン
６  送信部
７  操作ボタン
８  液晶表示部
９  扉
１０  ＳＤカード
１１  挿入口
１５  ワイヤードリモコン
【図１】
2007198704.tif 000003
【図２】
2007198704.tif 000004
【図３】
2007198704.tif 000005
【図４】
2007198704.tif 000006
【図５】
2007198704.tif 000007
【図６】
2007198704.tif 000008